(57)【要約】      （修正有）【課題】天板によって密閉されたドラム缶等の缶容器内に収容すると共にキャップで封止した袋体の注出口を口金から突出するようにした内袋において、袋体を口金から挿脱すると共に注出口を口金に固定させられるようにする。【解決手段】注出口の下部外側に設けた小径部、小径部に回転可能に嵌合させた筒体、筒体を支持するために注出口の下端に突出させた係止爪、上下方向への挿脱を可能にして口金に螺合させるために筒体の外側に形成した螺旋条、開口部を注出口に固着すると共に細長く折り込んだ袋体とからなり、注出口、キャップ及び折込み袋体の外径を口金の内径より小さくしたこと。【選択図】図１
2005022725.tif 000002
【特許請求の範囲】
【請求項１】
天板によって密閉されたドラム缶等の缶容器内に収容すると共にキャップで封止した袋体の注出口を口金から突出するようにした内袋において、注出口の下部外側に設けた小径部、小径部に回転可能に嵌合させた筒体、筒体を支持するために注出口の下端に突出させた係止爪、上下方向への挿脱を可能にして口金に螺合させるために筒体の外側に形成した螺旋条、開口部を注出口に固着すると共に細長に折り込んだ袋体とからなり、注出口、キャップ及び折込み袋体の外径を口金の内径より小さくした缶容器用の内袋。
【請求項２】
筒状フィルムの上端部を注出口に固着し下端部を袋体内に臨ませた弁体を備えた請求項１に記載の缶容器用の内袋。
【請求項３】
天板によって密閉されたドラム缶等の缶容器内に収容すると共にキャップで封止した袋体の注出口を口金から突出するようにした内袋において、缶容器の口金に螺合させる注出口と注出口に上端部を固着した筒状フィルム製の弁体と開口部を弁体に固着させた袋体とからなり、注出口は、注出口の下部外側に小径部を設け、ここに筒体を回転可能に嵌合し、注出口の下端から筒体を係止させるための爪を突出し、上下方向への挿脱を可能にして口金に螺合させるための螺旋条を筒体の外側に形成したものであり、弁体は筒状フィルムの下端部を袋体内に臨ませてあり、袋体は細長に折り込んであって、注出口、キャップ及び折込み袋体の外径を口金の内径より小さくした缶容器用の内袋。
【請求項４】
筒状フィルムの内側に引き上げ片を配置し、その下端部を筒状フィルムの下部に連結すると共に上端部を注出口に係止させて弁体を構成した請求項２又は３に記載の缶容器用の内袋。
【請求項５】
引出し部材が細幅の紐状片である請求項４に記載の缶容器用の内袋。
【請求項６】
引出し部材が筒状フィルムである請求項４に記載の缶容器用の内袋。
【請求項７】
引出し部材の上端部に係止部材を取り付け、この部材を注出口の内壁面上又は開口縁に係止させた請求項４、５、又は６に記載の缶容器用の内袋。
【請求項８】
キャップの頂部に引き上げ用係合部を設けた請求項１乃至７のいずれかに記載の缶容器用の内袋。
【発明の詳細な説明】
【０００１】
本発明は、天板によって密閉されたドラム缶等の缶容器内に収容すると共にキャップで封止した袋体の注出口を口金から突出するようにした内袋に関するものである。
【０００２】
【従来技術とその問題点】
この種の内袋としては、特開２００１−２１９９６５号公報に開示のものが知られている。
この袋は、内外二重に構成した複合容器であって、内側の袋は熱可塑性樹脂からなるシート材を重ね合わせて複数層に形成されており、袋の上部から径方向外方に延びるエプロンを備え、注出口を口金から突出させた状態でドラム缶の開口縁と天板とでエプロンを挟持するようにしている。
袋は強靱であって、ドラム缶内において起立させられた状態で支持されることになるが、天板と胴部とを巻き締めさせて天板の開閉ができないクローズドラムについては、このタイプの袋を使用することはできない。
【０００３】
一般に、クローズドラムは、これを再利用する際に充填されていた残液が後で充填する液体に影響を及ぼさないように、一旦洗浄されることになる。
ところが、このタイプのドラム缶は、天板を分離することができず、しかも天板には中心から外れた位置に注入口と排気口とが形成されていることもあって、洗浄を完全に行うことが不可能となる。そのため、使用済の缶に焼き入れを施した後に洗浄して再生缶として再利用することになるのであるが、洗浄時の廃液をも処理する必要があるため、缶の再生に相当のコストがかかる不都合がある。
【０００４】
【技術的課題】
本発明は、天板によって密閉されたドラム缶等の缶容器内に収容すると共にキャップで封止した袋体の注出口を口金から突出するようにした内袋において、袋体を口金から挿脱すると共に注出口を口金に固定させられるようにすることを課題としたものである。
【０００５】
【技術的手段】
この技術的課題を解決するための第一の技術的手段は、（イ）注出口の下部外側に設けた小径部、（ロ）小径部に回転可能に嵌合させた筒体、（ハ）筒体を支持するために注出口の下端に突出させた係止爪、（ニ）上下方向への挿脱を可能にして口金に螺合させるために筒体の外側に形成した螺旋条、（ホ）開口部を注出口に固着すると共に細長に折り込んだ袋体とからなり、（ヘ）注出口、キャップ及び折込み袋体の外径を口金の内径より小さくしたこと、である。
また、第二の技術的手段は、筒状フィルムの上端部を注出口に固着し下端部を袋体内に臨ませた弁体を備えたことである。
【０００６】
袋体の注出口の下部に設けた小径部に嵌合させた筒体は、注出口の下端から突出させた係止爪に支持された状態でその回転を可能にして注出口に取り付けられている。この係止爪は外力を加えると内方へ僅かに移動するため、筒体を小径部に強制挿入することができる。
筒体の外側には螺旋条が形成されているから、筒体を口金に螺合させることによって、注出口を天板に固定させることができる。
このとき、筒体は注出口とは独立して回転することになるから、筒体を回転させても注出口は共回りすることがなく、静止状態を保つことができる。
この螺旋条は、筒体を上下方向へ挿脱できるように形成されていて、一方の方向に回しきると螺合が解除されて注出口が缶容器内へ落下し、他方の方向へ回しきると注出口が缶容器の外側へ脱出することになる。
袋の開口部は注出口に固着され、且つ細長く折り込まれているから、注出口と袋体とは連続した形態となる。
注出口、キャップ及び折込み袋体のいずれの外径も口金の内径より小さく形成されているから、袋体全体を缶容器内に収納させることが可能となる。
袋体は口金から缶容器内に収納させられるから、袋体の外径は、細長く折り込まれて棒状、短冊状等の形態での外径のみならず、折り込まれた形態のものをさらに幅方向へ屈曲小径化させた状態での外径をも意味するものである。
【０００７】
この袋体をクローズ形式の缶容器に適用するためには、最初に細長の袋体を口金から缶容器内に装入し、筒体を回転させて注出口を口金に固定する。袋体は、缶容器の形状に適合する大きさになっていて、注出口は所定の口金の位置に適合させて取り付けられている。
したがって、口金が中央に位置していない場合には、袋体は、缶容器内において広い側に広がる部分と狭い側に広がる部分とがあるため、その位置合わせをしておくことが肝要である。注出口にその印を表示しておくと便利である。
【０００８】
通常、この状態から袋内に空気を充填して袋を膨らませると共に袋を缶容器の内壁に密着させて内張りが完成し、その後液体が充填されることになる。所望の液体を注出口から注ぎ入れることによって、同時に袋の折込みを解除させることもできるが、前者の方が作業性が良い。
缶容器内に液体が充填されると、注出口にキャップを取り付けて封止し、筒体を再び回動させて口金の下方へ移行させると、注出口は口金から缶容器内へ臨み、液体が充填されている袋体の上へ落下する。
最後に、口金にプラグを取り付けて缶容器への液体充填作業を完了させることができる。
缶容器内から液体を排出する場合には、注出口を口金に固定し、キャップを外した後、注出口から袋内へパイプを挿入してその先端を液体内に臨ませ、ポンプで吸引するのが一般的である。
【０００９】
筒状フィルムの上端部を注出口に固着し下端部を袋体内に臨ませた弁体を備えると、液体に接触したフィルムが偏平化してフィルム同志を密着させるから、この弁体が封止効果を発揮することになる。缶容器が揺れたりしても、注出口へ内圧が掛かったまま液体が到達することがないから、キャップの封止効果を確実に発揮させることができる。
【００１０】
袋体や弁体としての筒状フィルムは、ポリエチレン、ナイロン、ポリプロピレン等の合成樹脂製を好適な素材として使用することができる。また、これらのフィルムをラミネートしたものを使用しても良い。
注出口、容器、筒状フィルムの素材は、溶着等の相性や充填する液体の種類を勘案して選択することになる。
袋体と注出口とを固着する場合には、袋体の開口部に筒状の突出部を形成し、これを注出口の内壁に溶着させる構成を採用することが望ましい。この場合には、注出口の内径を最も大きくできる利点がある。
【００１１】
前記課題を解決する第三の技術的手段は、（ト）缶容器の口金に螺合させる注出口と注出口に上端部を固着した筒状フィルム製の弁体と開口部を弁体に固着させた袋体とからなり、（チ）注出口は注出口の下部外側に小径部を設け、（リ）小径部に筒体を回転可能に嵌合し、（ヌ）注出口の下端から筒体を支持するための爪を突出し、（ル）上下方向への挿脱を可能にして口金に螺合させるための螺旋条を筒体の外側に形成したものであり、（ヲ）弁体は筒状フィルムの下端部を袋体内に臨ませてあり、（ヨ）袋体は細長に折り込んであって、（タ）注出口、キャップ及び折込み袋体の外径を口金の内径より小さくしたこと、である。
第四の技術的手段は、筒状フィルムの内側に引き上げ片を配置し、その下端部を筒状フィルムの下部に連結すると共に上端部を注出口に係止させて弁体を構成したことである。
【００１２】
第三の技術的手段は、第二の技術的手段とは、筒状フィルムの上端部を注出口に固着させた弁体に袋体の開口部を固着させ、筒状フィルムの下端部を袋体内に臨ませるようにした点において相違している。
袋体を弁体に固着させると、円筒状のもの同志を固着するのに比べて、両者の溶着作業が容易となる。
弁体である筒状フィルムの上端縁は注出口に固着され、袋体の注出部が筒状フィルムに溶着させられているから、弁体の下部は袋体内に臨むことになる。
液体が筒状フィルムを通過して袋体内に注ぎ込まれると、筒状フィルムの下部は前記したように側壁面を偏平化して密着し、弁作用を発揮することになる。
【００１３】
第四の技術的手段では、第二、三の技術的手段において弁体となる筒状フィルムの内側に引出し部材が配置されていて、その下端部は筒状フィルムと連結させられているから、この引出し部材を引っ張ることによって筒状フィルムを下端部側から徐々に反転させて行き、筒状フィルムの下端部が袋体内に突出しない状態を形成し、袋体から液体を排出させる最後の段階で、弁体の影響を受けずに残液を排出させることができる。
【００１４】
この引出し部材としては、細幅の紐状片や筒状フィルムを使用することができる（請求項５、６参照）。
これらの部材の下端側と筒状フィルムとの連結は接着又は溶着させることが望ましい。またその位置は、双方の下端部同志を連結させても良いし、一方の下端部を他方の下端部よりやや上方の位置に連結させるようにしても良い。
引出し部材を筒状フィルムで構成する場合には、筒状フイルム同志を溶着して連結する他、長い筒状フィルムの一端をフィルムの内側へ臨ませるように反転して二重筒とし、内側の筒状フィルムを引出し部材として利用する構成を採用することができる。
引出し部材は、その上端部に係止部材を取り付けておいて、この係止部材を注出口の内壁面上や開口縁に係止させておくことができる（請求項７参照）。
なお、二重筒の形態の弁体を使用した場合には、引き出した弁体に直接ホースを連結し、液体の排出と搬送とを連続して行なわせるような使用方法を採用することが可能となる。
【００１５】
引出し部材の上端部を注出口に係止させるに際し、上端部の全部又は一部を剥離を可能にして注出口に溶着させる構成を採用すると、筒状フィルムを袋体から脱出させる必要が生じた場合には、注出口に溶着した引出し部材を引っ張るなどして注出口から剥離させ、そのまま引っ張って筒状フィルムを袋体から脱出させることができる。この場合は、注出口の内径を大きくしたまま利用することができる。
また、引出し部材の上端部にリングや突片等からなる係止部材を取り付け、その部材を注出口の内壁面上や開口縁に係止させる構成を採用すると、係止部材を引き出すことによって筒状フィルムを袋体から脱出させることができる。この場合は、係止部材を持って弁体を引き上げられるから、その操作性は良い。
なお、この場合には、注出口にキャップを取り付ける際にこの係止部材をシール材として活用することが望ましい。
注出口は、液体を充填した後缶容器内に臨ませられることになるが、液体を排出する際に再びこの注出口を引き上げる必要がある。
キャップの頂部に引き上げ用係合部を設けておくと、フックなどの引き上げ具を係合部に係合させられるから、注出口を口金まで引き上げる作業が容易に行える（請求項８参照）。そこでキャップや注出口の上部を把持し、筒体を回転させてこれを口金に螺合させれば、注出口が缶容器に固定されるから、排出準備が完了することになる。
【００１６】
【本発明の効果】
袋体を口金から挿脱できる結果、クローズ形式の缶容器内に内袋を容易に装着することができ、簡単な清掃を施して缶容器を再使用することができる。このとき、処理を必要とする廃液が生じることもない。
請求項２〜７に係る発明では、内圧を伴った液体が注出口に到達することがないから、液体の漏洩をより完全に阻止することができる。
また、請求項３〜７に係る発明では、袋体から液体を排出する最後の工程において、袋体内に液体が残留しても、弁体の下端部を引き出して袋体内に突出しないようにすることができるから、缶容器を傾けるなどして残液を完全に排出させることができる。
【００１７】
【実施の形態】
次に、図面に示したドラム缶についての実施の形態を参酌しながら、本発明を説明する。
図１は、袋体５に固着させた注出口１１をドラム缶１の天板２に設けた口金３に固定した状態における正面縦断面図、図２はその注出口１１を分解した状態の右側面図である。
この実施形態では、注出口１１及び袋体５のいずれをもポリエチレン樹脂で形成してあり、袋体の開口部に突出させた円筒状の口部６を注出口１１の内壁下部に溶着させる構成を採用している。
【００１８】
注出口１１は、本体１２と筒体１６及びキャップ２１とで構成している。
本体１２の下部に外径を小さくした小径部１４を設け、その下端部に爪１５、１５を突出させている。
筒体１６を本体の下側から強制的に挿入させようとすると、爪１５、１５は僅かに内方へ後退し、筒体１６が小径段部１４に嵌合させた段階で再び前進して筒体１６の下端を支えるから、筒体１６は注出口１１から落下することなく回転させることができる。
筒体１６の下部外側に設けた螺旋条１７を口金３の内壁に刻設した螺旋溝４と螺合させて、注出口１１はドラム缶１に固定されている。
【００１９】
本体１２の開口部を封止するためのキャップ２１は、蓋板２２の下部に突設した筒状の側壁２９に設けた螺旋条２３を本体１２の上部内壁に刻設した螺旋溝１３と螺合させている。本体１２の開口縁と蓋板２２との間にはパッキン１８を介在させてあって、シール効果を確実なものとしている。
なお、蓋板２２の表面に摘み２４が突設してあり、その中央に係合部としての透孔２５を形成しているから、ドラム缶１内からの注出口１１の引き上げ時に図示しないフックなどを係合させて容易に引き出せるようにしている。
【００２０】
図３は、上記の注出口１１に筒状フィルム２６からなる弁体２０を取り付けた例を示している。
筒状フィルム２６は、その上端部２７を注出口の本体１２下部内壁に、袋体５の口部の内側で固着させていて、下端部２８は袋体５の中に臨んでいる。
【００２１】
図４は、ポリエチレン樹脂製の長い筒状フィルム３１を略中間部３２で折り返してフィルムの内側へ臨ませ、内外二重の筒状フィルム３１ａ、３１ｂからなる弁体３０となし、内側の筒状フィルムを引出し部材３１ｂとして利用する場合の実施形態を示したものである。
フィルム３１ａの一端部３３は注出口本体１２の下部内壁に溶着させてあり、略中間点３２で折り返した他端側３４は注出口本体１２の中間部内壁に剥離可能に部分的に仮止めさせている。
袋体５は、その開口部３５を弁体３０の上部と溶着させることによって、注出口１１と連通するようになっている（図５、６参照）。
【００２２】
筒状フィルムの他端部３４は、外力を加えて引っ張ると本体１２から剥離させられる。これを引き出していくと、筒状フィルム３１ｂが徐々に注出口１１から脱出していき、折り返し部３２が徐々に上へ移動し、やがて袋５から脱出して折り返し部３２が袋体５と弁体３０との溶着部３５に達することになる。
この段階で筒状フィルム３１の引出しを停止すればよく、弁体３０は袋体５内に突出することはない。したがって、残液があっても、ドラム缶１を逆さまにすることによって容易に取り出すことができる。
【００２３】
図７は、筒状フィルムの他端部３４をリング３６に溶着させ、これを注出口の内壁面上に突出させたリング状の凸部３７に係止させた実施形態を示したものである。
キャップ２１を取り付けると、その筒状の側壁２９の下端と注出口の凸部３７との間にリング３６が挟まれ、シール機能を発揮するようになっている。
また、図８は、筒状フィルムの他端部３４に溶着させたリング３８を注出口の開口縁３９に係止させた実施形態を示したものである。
キャップ２１を取り付けると、キャップ２１と開口縁３９との間にリング３８が挟まれてシール機能を発揮するようになっている。
【図面の簡単な説明】
【図１】注出口をドラム缶の口金に固定した状態における縦断面図
【図２】注出口を分解した状態の右側面図
【図３】注出口に筒状フィルムからなる弁体を取り付けた状態の断面図
【図４】筒状フィルムを折り返して注出口に固定した弁体の断面図
【図５】弁体に袋体を取り付けた状態の断面図
【図６】弁体に袋体を取り付けた状態の右側面図
【図７】筒状フィルムの他端を注出口の内壁に係止させた状態の断面図
【図８】筒状フィルムの他端を注出口の開口縁に係止させた状態の断面図
【符号の説明】
１ドラム缶、  ２天板、  ３口金、  ５袋体、  ６袋体の口部、  １１注出口、１２注出口本体、  １３注出口の螺旋溝、  １４小径部、  １５爪、  １６筒体、１７螺旋条、  １８パッキン、  ２０，３０弁体、  ２１キャップ、
２２蓋板、  ２３キャップの螺旋条、  ２４蓋板の摘み、  ２５透孔、  ２６，３１筒状フィルム、  ２７，２８，３３，３４筒状フィルムの端部、  ２９蓋体の側壁、  ３２筒状フィルムの折り返し部、  ３５袋体の開口部（弁体との溶着部）  ３６、３８リング、  ３７注出口の凸部、  ３９注出口の開口縁
【図１】
2005022725.tif 000003
【図２】
2005022725.tif 000004
【図３】
2005022725.tif 000005
【図４】
2005022725.tif 000006
【図５】
2005022725.tif 000007
【図６】
2005022725.tif 000008
【図７】
2005022725.tif 000009
【図８】
2005022725.tif 000010